(57)【要約】【課題】砂地の条件に関わらず、砂地の表面に文字・図形・記号及びこれらの組み合わせのパターンを容易に形成することができ、しかも海岸・河岸・公園等の広い場所での砂地の表面に形成される文字・図形・記号及びこれらの組み合わせのパターンの視認性を高めることができるようにする。【解決手段】基板１１，１２の外側又は内側に設けられ、凹状及び／又は凸状の文字・図形・記号及びこれらの組み合わせのパターンが形成されているパターン形成板１４，１５により、砂地の表面に押し付けることで砂地の表面にパターン形成板１４，１５のパターンＰを形成する。【選択図】    図１
2004322528.tif 000002
【特許請求の範囲】
【請求項１】
基板と、
前記基板の外側又は内側に設けられ、砂地の表面に押し付けることでパターンを形成するパターン形成板とを備え、
前記パターン形成板には、凹状及び／又は凸状の文字・図形・記号及びこれらの組み合わせのパターンが形成されている
ことを特徴とするスタンプボード。
【請求項２】
複数の基板と、
前記基板の外側又は内側に設けられ、砂地の表面に押し付けることでパターンを形成するパターン形成板と、
前記複数の基板を折り畳み自在に連結する開閉用丁番とを備え、
前記パターン形成板には、凹状及び／又は凸状の文字・図形・記号及びこれらの組み合わせのパターンが形成されている
ことを特徴とするスタンプボード。
【請求項３】
複数の基板と、
前記基板の外側又は内側に設けられ、砂地の表面に押し付けることでパターンを形成するパターン形成板と、
前記複数の基板を折り畳み自在に、かつ分離自在に連結する分離可能丁番とを備え、
前記パターン形成板には、凹状及び／又は凸状の文字・図形・記号及びこれらの組み合わせのパターンが形成されている
ことを特徴とするスタンプボード。
【請求項４】
前記凹状及び／又は凸状の文字・図形・記号及びこれらの組み合わせのパターンの側面には、砂面の垂直線に対して９０度未満の傾斜角度が付けられていることを特徴とする請求項１〜３のいずれかに記載のスタンプボード。
【請求項５】
前記基板の外側又は内側から前記パターン形成板の凹状及び／又は凸状の文字・図形・記号及びこれらの組み合わせのパターンの部分まで連通させたロート状の注水口と、この注水口に合わせた栓とを備えることを特徴とする請求項１〜４のいずれかに記載のスタンプボード。
【請求項６】
前記基板の上部には、取手が設けられていることを特徴とする請求項１〜５のいずれかに記載のスタンプボード。
【請求項７】
前記基板の下部には、キャスターが設けられていることを特徴とする請求項１〜６のいずれかに記載のスタンプボード。
【請求項８】
前記基板は、ラッチによって折り畳み姿勢が保持されることを特徴とする請求項１〜７のいずれかに記載のスタンプボード。
【請求項９】
前記基板の底辺側に連結棒が差し込まれる複数の突起孔が設けられていることを特徴とする請求項１〜８のいずれかに記載のスタンプボード。
【請求項１０】
砂地に差し込まれる杭と、この杭に連結されたロープと、このロープの先端に設けられ、前記取手に係合されるフックとを備えることを特徴とする請求項６に記載のスタンプボード。
【請求項１１】
砂地に打ちまれるペグを備え、前記基板の四隅には前記ペグによって位置決めされるペグ孔が設けられていることを特徴とする請求項１〜１０のいずれかに記載のスタンプボード。
【請求項１２】
砂地に打ちまれる位置決めガイドレールを備え、前記基板の四隅が位置決めガイドレールによって位置決めされることを特徴とする請求項１〜１０のいずれかに記載のスタンプボード。
【発明の詳細な説明】
【０００１】
【発明の属する技術分野】
本発明は、砂地の表面に任意の文字・図形・記号及びこれらの組み合わせのパターンを形成するスタンプボードに関する。
【従来の技術】
砂地の表面に任意の文字や図形等のパターンを形成するものとして、特許文献１に示されているビーチサンダルがある。すなわち、図１３に示すように、ビーチサンダルの本体１は、同一外形の上下２枚のゴム板を貼り合わせて形成されており、上側部３が明るい色彩の比較的柔軟な合成ゴムによって成形されている。一方、下側部４が黒色系の色彩の上面部３よりも硬度の高い合成ゴムによって成形されている。また、各下側部４は、平坦な底面５の外周縁に凸状の枠部６が全周に亘って設けられているとともに、幅方向に凸状の横梁部７が前後へ所定間隔を持って複数設けられている。底面５の中央長手方向には、反転された「ＴＡＧＵＣＨＩ」のローマ文字８が凸状に形成されている。
【０００２】
そして、海岸の砂浜等でビーチサンダルを履いて歩けば、まず、一歩毎に人の体重が本体１に掛かって、比較的硬質の下側部４が砂を上方から押し付け、続いて本体１を引きずらないでそのまま垂直上方向に持ち上げると、各凸状の枠部６や各横梁部７及びローマ文字８が、その形状に沿って砂を凹ませる。つまり、スタンピング状態になる。したがって、砂の上には、凹んだ枠部６内に、各横梁部７によって複数の縦溝が形成され、その中央長手方向には、「ＴＡＧＵＣＨＩ」なる正転のローマ字８が凹み形成され、歩く一歩毎にこの模様や文字がスタンピング状態に表示される。そのため、砂の上には、多くの文字や模様が付けられて、砂浜があたかもキャンパスのようになり、人の目を楽しませてくれる。
【０００３】
【特許文献１】
特開２００２−６５３０６
【発明が解決しようとする課題】
しかしながら、上述した特許文献１では、海岸の砂浜等の砂地の表面にローマ字８が凹み形成されるが、そのローマ字８によって形成されるパターン全体の大きさは足の大きさ程度である。そのため、ビーチサンダルの本体１によって形成される文字・図形・記号及びこれらの組み合わせのパターンは、非常に小さいものとなり、視認性が不十分である。また、砂地の表面に文字・図形・記号及びこれらの組み合わせのパターンを旨く形成しようとすると、ビーチサンダルの本体１を引きずらないように歩く必要があるため、砂地の表面にパターンを形成することは困難になるとものと予測される。しかも、ビーチサンダルの本体１に設けられている凸状のローマ文字８は、個々の文字が極めて小さいために、特に乾いた砂地ではその表面に旨くパターンが形成されないものとも予測される。
【０００４】
本発明は、このような状況に鑑みてなされたものであり、砂地の条件に関わらず、砂地の表面に文字・図形・記号及びこれらの組み合わせのパターンを容易に形成することができ、しかも海岸・河岸・公園等の広い場所での砂地の表面に形成される文字・図形・記号及びこれらの組み合わせのパターンの視認性を高めることができるスタンプボードを提供することを目的とする。
【０００５】
【課題を解決するための手段】
本発明のスタンプボードは、基板と、基板の外側又は内側に設けられ、砂地の表面に押し付けることでパターンを形成するパターン形成板とを備え、パターン形成板には、凹状及び／又は凸状の文字・図形・記号及びこれらの組み合わせのパターンが形成されていることを特徴とする。
本発明のスタンプボードは、複数の基板と、基板の外側又は内側に設けられ、砂地の表面に押し付けることでパターンを形成するパターン形成板と、複数の基板を折り畳み自在に連結する開閉用丁番とを備え、パターン形成板には、凹状及び／又は凸状の文字・図形・記号及びこれらの組み合わせのパターンが形成されていることを特徴とする。
本発明のスタンプボードは、複数の基板と、基板の外側又は内側に設けられ、砂地の表面に押し付けることでパターンを形成するパターン形成板と、複数の基板を折り畳み自在に、かつ分離自在に連結する分離可能丁番とを備え、パターン形成板には、凹状及び／又は凸状の文字・図形・記号及びこれらの組み合わせのパターンが形成されていることを特徴とする。
また、凹状及び／又は凸状の文字・図形・記号及びこれらの組み合わせのパターンの側面には、砂面の垂直線に対して９０度未満の傾斜角度が付けられているようにすることができる。
また、基板の外側又は内側からパターン形成板の凹状及び／又は凸状の文字・図形・記号及びこれらの組み合わせのパターンの部分まで連通させたロート状の注水口と、この注水口に合わせた栓とを備えるようにすることができる。
また、基板の上部には、取手が設けられているようにすることができる。
また、基板の下部には、キャスターが設けられているようにすることができる。
また、基板は、ラッチによって折り畳み姿勢が保持されるようにすることができる。
また、基板の底辺側に連結棒が差し込まれる複数の突起孔が設けられているようにすることができる。
また、砂地に差し込まれる杭と、この杭に連結されたロープと、このロープの先端に設けられ、取手に係合されるフックとを備えるようにすることができる。
また、砂地に打ちまれるペグを備え、基板の四隅にはペグによって位置決めされるペグ孔が設けられているようにすることができる。
また、砂地に打ちまれる位置決めガイドレールを備え、基板の四隅が位置決めガイドレールによって位置決めされるようにすることができる。
本発明に係るスタンプボードにおいては、基板の外側又は内側に設けられ、凹状及び／又は凸状の文字・図形・記号及びこれらの組み合わせのパターンが形成されているパターン形成板を、砂地の表面に押し付けることで砂地の表面にパターン形成板のパターンを形成することができる。
【０００６】
【発明の実施の形態】
以下、本発明の実施の形態について説明する。
図１及び図２は、本発明のスタンプボードの一実施の形態を示す斜視図であり、開閉用丁番１０によって折り畳み自在とされた２枚の基板１１，１２と、基板１１の上部の内側に設けられた取手１３と、基板１１，１２の外側の面に設けられたパターン形成板１４，１５と、基板１１，１２の側端部に設けられたラッチ１６ａ，１６ｂとを備えている。
【０００７】
基板１１，１２は、砂地の表面に押し付けられることから、ある程度の剛性を持たせることが好ましい。この場合、木製又は合成樹脂製等によって形成することができる。なお、木製の場合には、防水のために基板１１，１２全体に防水塗装を施してもよい。パターン形成板１４，１５は、文字・図形・記号及びこれらの組み合わせのパターンを有するものであり、上記同様に、砂地の表面に押し付けられることから、ある程度の剛性を持たせることが好ましい。パターン形成板１４，１５の表面には、後述するパターンＰが形成されている。このパターンＰは、文字・図形・記号のいずれか、又はこれらの組み合わせであってもよい。また、パターンＰは、後述のように、凸状であってもよいし、凹状であってもよいし、これらを組み合わせてもよい。また、パターン形成板１４，１５は、木製又は合成樹脂製等によって形成することができが、木製の場合には、防水のためにパターン形成板１４，１５全体に防水塗装を施してもよい。
【０００８】
また、パターン形成板１４，１５は、基板１１，１２の外側の面に対して接着剤により固定されているようにしてもよい。また、パターン形成板１４，１５は、基板１１，１２の外側の面に対してネジ等により仮固定されるようにしてもよいし、基板１１，１２の外側の面に対して着脱自在に装着されるようにしてもよい。
【０００９】
ここで、図１及び図２のスタンプボードは、基板１１，１２を開閉用丁番１０を介して折り畳んだとき、その幅（ａ）、高さ（ｂ）、厚さ（ｃ）をそれぞれ（ａ）≦２ｍ、高さ（ｂ）≦２ｍ、厚さ（ｃ）≦２ｍとし、かつ（ａ）＋（ｂ）＋（ｃ）≦２．５ｍのサイズとし、さらに総重量を３０ｋｇ以下としてもよい。このような寸法及び重量でスタンプボードを形成することにより、ＪＲ利用時の手回り品規定を満たすことが可能となる。なお、ＪＲ利用ではなく車によって搬送する場合には、これらの制約は不要である。
【００１０】
このような構成のスタンプボードは、次のようにして用いることができる。
まず、図３に示すように、基板１１，１２の外側の面に設けられたパターン形成板１４，１５には、たとえば「ＢＥＡＣＨ  ＳＴＡＭＰ」とした凹状の反転文字のパターンＰが刻設されているものとする。また、基板１１，１２を広げたときの外形寸法は、たとえば縦方向が約０．７ｍであり、横方向が約１．２ｍであり、一つの文字の大きさは縦横約２０ｃｍであるようにすることができる。
そして、パターン形成板１４，１５を砂地の表面に強く押し付けると、図４に示すように、砂地の表面に「ＢＥＡＣＨ  ＳＴＡＭＰ」とした凸状の文字のパターンＰが形成される。文字のパターンＰは、約０．７ｍ＊約１．２ｍの領域内に縦横約２０ｃｍの大きさで形成されるため、海岸・河岸・公園等の広い場所であっても充分な視認性がある。なお、たとえば海岸の砂地の表面が曲面であったり、また大小の凹凸・砂紋が残されていたりする場合、前処理として箒や熊手等の補助道具により、砂地の表面を均すことにより、パターンＰの形成が容易であるばかりか、見栄えも良くなる。また、たとえば海岸の砂地にごみや漂着物等の異物が紛れ込んでいる場合は、その異物を取り除いた方がパターンＰの形成が容易となり、見栄えも良くなる。基板１１，１２を砂地の表面に押し付ける場合は、基板１１，１２の上に人が乗ってもよいし、ハンマー等で上から叩いたりしてもよい。
【００１１】
ここで、パターン形成板１４，１５に形成される文字・図形・記号及びこれらの組み合わせのパターンＰは、図５（ａ）のように刻設による凹状であってもよく、図５（ｂ）のように凸状であってもよい。また、パターンＰの側面には、図５（ｃ）のように、砂面の垂直線に対して９０度未満の傾斜角度αを付けることができる。傾斜角度αにあっては、図５（ｂ）のような凸状であっても同様に付けることができる。このように９０度未満の傾斜角度αを付けることで、砂が乾燥している場合や砂粒が大きい場合であっても、砂地の表面に形成されたパターンＰを崩れにくくすることが可能となる。
【００１２】
また、パターン形成板１４，１５の端部（開閉用丁番１０が設けられていない辺側）のパターンＰの側面には、図５（ｄ）のように、砂面の垂直線に対して９０度未満の傾斜角度βを付けることができる。このように９０度未満の傾斜角度βを付けることで、上記同様に、砂が乾燥している場合や砂粒が大きい場合であっても、砂地の表面に形成されたパターンＰを崩れにくくすることが可能となる。なお、開閉用丁番１０が設けられている辺側は、基板１１，１２を開いたときにパターン形成板１４，１５の端面が隙間なく向き合い連続した表面が形成されるように、上述した傾斜角度βを付けていないが、意図的に砂面に形成されたパターンＰに境界線を入れるときには開閉用丁番１０側の端面に上述した傾斜角度βを付けるようにしてもよい。このようにすることで、開閉用丁番１０側の端面に砂が入り込み、パターンＰに境界線を形成することが可能となる。
【００１３】
また、図６に示すように、基板１１，１２の内側からパターン形成板１４，１５のパターンＰの部分まで連通させたロート状の注水口１７を設けることができる。注水口１７から注水を行うと、パターンＰを形成している砂が湿り気を帯び、砂粒同士の連着が強固にされるので、長時間に亘って砂地の表面に形成されるパターンＰを保持することが可能となる。また、注水口１７は、ロート状であるため、注水が容易であるばかりか、パターンＰを形成している砂への水の浸透を徐々に行わせることができる。このように、砂への水の浸透を徐々に行わせることで、パターンＰを形成している砂の塊が崩されることもない。また、このように、注水口１７からの注水が行われるようにすることで、砂粒が極めて小さく、しかも乾燥している砂地であっても、砂地の表面にパターンＰを容易に形成することが可能となる。
【００１４】
また、注水口１７には、注水口１７に合わせた栓１８を着脱自在に設けるようにすることができる。この栓１８を注水口１７に装着することで、注水しない場合には、注水口１７から基板１１，１２の内側への砂の流出を防ぐことができ、砂地の表面に形成されたパターンＰを見栄え良く形成することができる。なお、注水口１７にあっては、１個に限らず、複数であってもよい。なお、注水口１７は、図６に示した凹状のパターンＰに限らず、図５（ｂ）に示した凸状のパターンＰの場合も同様に設けることができる。
【００１５】
また、パターン形成板１４，１５は、図１のように基板１１，１２の外側に限らず、図７に示すように、基板１１，１２の内側に設けられるようにしてもよい。この場合、開閉用丁番１０は、パターン形成板１４，１５に邪魔にならないように、基板１１，１２を広げたときに向かい合う面に取り付けるようにすればよい。
また、スタンプボードは、図１のように基板１１，１２からなる２分割構成に限らず、図８に示すように、基板１１，１２に基板１２ａを追加した３分割構成としてもよいし、４分割構成以上としてもよい。また、基板１１の底辺にキャスター１９を設けるようにしてもよい。このキャスター１９により、スタンプボードの持ち運びが容易となる。
【００１６】
また、上述した開閉用丁番１０は、図９に示すように、分離可能丁番１０ａとしてもよい。このような分離可能丁番１０ａにより、上述した基板１１，１２及び基板１２ａを分離することができ、基板１１，１２及び基板１２ａを単独で用いることができるばかりか、他の基板１１，１２及び基板１２ａとの組み合わせが可能となり、文字・図形・記号及びこれらの組み合わせのパターンＰのバリエーションを増やすことが可能となる。
【００１７】
また、図１０に示すように、杭２０に連結されたロープ２１のフック２２を取手１３に係合させ、杭２０を砂地に差し込むようにしてもよい。このように、杭２０を砂地に差し込んで、ロープ２１のフック２２を取手１３に係合させておくことにより、海岸・河岸・公園での使用時には潮位・水位の変化や押寄せる波によって水中に流されることが防止される。また、基板１１，１２の底辺側に複数の突起孔２３を設け、それぞれの突起孔２３に連結棒２３ａを差し込むことで、基板１１，１２を水平に広げた状態を保持することができ、その外側又は内側に設けられているパターン形成板１４，１５による砂地の表面への文字・図形・記号及びこれらの組み合わせのパターンＰを見栄え良く形成することが可能となる。
【００１８】
また、図１１に示すように、基板１１，１２の四隅にペグ孔２４を設け、これらのペグ孔２４を通してペグ２５を砂地に打ち込むことにより、基板１１，１２の位置決めを行うことができ、基板１１，１２を砂地の面に押し付ける際の横ズレが防止されることから、パターン形成板１４，１５による砂地の表面への文字・図形・記号及びこれらの組み合わせのパターンＰをさらに見栄え良く形成することが可能となる。また、パターン形成板１４，１５によって砂地の表面にパターンＰを一度形成した後、そのパターンＰの上から再度、パターン形成板１４，１５を重ねて押し付ける際には、ペグ２５による痕跡から基板１１，１２の位置決めを行うことができるので、パターンＰをズレのない状態で再形成することができる。
【００１９】
また、図１２に示すように、位置決めガイドレール２６を用いることでも、基板１１，１２の位置決めを行うことができる。この場合には、図１１での基板１１，１２の四隅に設けたペグ孔２４の形成が不要となる。
【００２０】
このように、本実施の形態では、基板１１，１２の外側又は内側に設けられ、凹状及び／又は凸状の文字・図形・記号及びこれらの組み合わせのパターンＰが形成されているパターン形成板１４，１５を、砂地の表面に押し付けることで砂地の表面にパターン形成板１４，１５のパターンＰを形成することができる。
ここで、パターン形成板１４，１５のパターンＰにあっては、上述したように、一つの文字の大きさをたとえば縦横約２０ｃｍとすることができるので、乾いた砂地であってもパターンＰを形成することができ、砂地の条件に関わらず、砂地の表面に文字・図形・記号及びこれらの組み合わせのパターンＰを容易に形成することができるばかりか、海岸・河岸・公園等の広い場所であっても砂地の表面に形成されるパターンＰの視認性を高めることができる。
【００２１】
また、たとえば基板１１，１２を開閉用丁番１０によって折り畳み自在に連結しているので、折り畳んだときは持ち運びの邪魔にならず、広げた場合には砂地の表面に形成されるパターンＰの領域を大きくすることができる。
また、たとえば基板１１，１２を分離可能丁番１０ａによって折り畳み自在に、かつ分離自在に連結しているので、基板１１，１２を単独で用いることができるばかりか、他の基板１１，１２との組み合わせが可能となり、文字・図形・記号及びこれらの組み合わせのパターンＰのバリエーションを増やすことができる。
【００２２】
また、パターン形成板１４，１５のパターンＰの側面には、砂面の垂直線に対して９０度未満の傾斜角度が付けられているため、砂が乾燥している場合や砂粒が大きい場合であっても、崩れにくいパターンＰを砂地の表面に形成することができる。
また、たとえば基板１１，１２の外側又は内側からパターン形成板１４，１５の凹状及び／又は凸状の文字・図形・記号及びこれらの組み合わせのパターンＰの部分まで連通させたロート状の注水口１７と、この注水口１７に合わせた栓１８とを備えるようにしたので、注水が容易となり、砂を湿らすことができ、砂粒が極めて小さく、しかも乾燥している砂地であっても、砂地の表面にパターンＰを容易に形成することができる。また、注水を行わない場合は、栓１８を注水口１７に装着することで、注水口１７から基板１１，１２の内側への砂の流出を防ぐことができ、砂地の表面に形成されたパターンＰを見栄え良く形成することができる。
【００２３】
また、たとえば基板１１の上部に取手１３を設けているので、持ち運びを容易に行うことができる。なお、取手１３は、基板１１に限らず、基板１２又は基板１２ａに設けるようにしてもよい。
また、たとえば基板１１の下部にキャスター１９を設けることでも、持ち運びをさらに容易に行うことができる。キャスター１９は、基板１１に限らず、基板１２又は基板１２ａに設けるようにしてもよい。
また、たとえば基板１１，１２は、ラッチ１６ａ，１６ｂによって折り畳み姿勢が保持されるようにしたので、持ち運びの際に基板１１，１２が広がってしまうこともない。ラッチ１６ａ，１６ｂは、基板１２ａに設けるようにしてもよい。
【００２４】
また、たとえば基板１１，１２の底辺側に連結棒２３ａが差し込まれる複数の突起孔２３を設けたので、基板１１，１２を水平に広げた状態を保持することができ、パターン形成板１４，１５による砂地の表面への文字・図形・記号及びこれらの組み合わせのパターンＰを見栄え良く形成することができる。複数の突起孔２３は、基板１２ａに設けるようにしてもよい。
また、砂地に差し込まれる杭２０と、この杭２０に連結されたロープ２１と、このロープ２１の先端に設けられ、取手１３に係合されるフック２２とを備え、杭２０を砂地に差し込んで、ロープ２１のフック２２を取手１３に係合させておくことにより、海岸での使用時には潮位の変化や押寄せる波によって海水中に流されることを防ぐことができる。
【００２５】
また、砂地に打ちまれるペグ２５を備え、たとえば基板１１，１２の四隅にペグ２５によって位置決めされるペグ孔２４を設けることで、基板１１，１２の位置決めを行うことができ、基板１１，１２を砂地の面に押し付ける際の横ズレが防止されることから、パターン形成板１４，１５による砂地の表面への文字・図形・記号及びこれらの組み合わせのパターンＰをさらに見栄え良く形成することができる。また、パターン形成板１４，１５によって砂地の表面にパターンＰを一度形成した後、そのパターンＰの上から再度、パターン形成板１４，１５を重ねて押し付ける際には、ペグ２５による痕跡から基板１１，１２の位置決めを行うことができるので、パターンＰをズレのない状態で再形成することができる。
【００２６】
また、砂地に打ちまれる位置決めガイドレール２６を備え、たとえば基板１１，１２の四隅を位置決めガイドレール２６によって位置決めすることでも、上記同様の作用効果が得られる。
また、基板１１，１２を開閉用丁番１０を介して折り畳んだとき、その幅（ａ）、高さ（ｂ）、厚さ（ｃ）をそれぞれ（ａ）≦２ｍ、高さ（ｂ）≦２ｍ、厚さ（ｃ）≦２ｍとし、かつ（ａ）＋（ｂ）＋（ｃ）≦２．５ｍのサイズとし、さらに総重量を３０ｋｇ以下とすれば、ＪＲ利用時の手回り品規定を満たすことが可能となる。
【００２７】
よって、このような特徴を有するスタンプボードを用いることにより、砂地をキャンパスとしてパターンＰにＰＲ効果を持たせることができる。海岸での使用を例にとると、海水浴や海岸での催し物等で自分で砂地へのメッセージ表現を楽しんだり相互にメッセージを伝え合うことに有効な方法になる。また、海岸は国民共有の財産であり原則的には一企業の営利活動に使用することができない制約があるが、海岸法等の法規定に従った行動範囲で、たとえば海岸を管理する地元自治体のＰＲ、環境保護、自然保護のスローガン等の公共性のあるメッセージを伝えることも可能となる。
また、砂地の表面に形成されたパターンＰは、時間の経過とともに、自然に均されるので、海岸の砂浜等を汚すこともない。
なお、本実施の形態では、基板１１，１２に取り付けたパターン形成板１４，１５にパターンＰを形成し、そのパターンＰを海岸・河岸・公園等の砂地の表面に形成するスタンプボードについて説明したが、たとえば石材に文字を刻設した記念碑や、木材に文字や図形を刻設した看板等をスタンプボードとすることも可能である。
また、本実施の形態では、スタンプボードが平坦である場合について説明したが、これに限らず、材質や製造方法によりある程度の曲面を含む場合であってもよい。
【００２８】
【発明の効果】
以上の如く本発明に係るスタンプボードによれば、基板の外側又は内側に設けられ、凹状及び／又は凸状の文字・図形・記号及びこれらの組み合わせのパターンが形成されているパターン形成板を、砂地の表面に押し付けることで砂地の表面にパターン形成板のパターンを形成するようにしたので、砂地の条件に関わらず、砂地の表面に文字・図形・記号及びこれらの組み合わせのパターンを容易に形成することができ、しかも海岸・河岸・公園等の広い場所での砂地の表面に形成される文字・図形・記号及びこれらの組み合わせのパターンの視認性を高めることができる。
【図面の簡単な説明】
【図１】本発明のスタンプボードの一実施の形態を示す斜視図である。
【図２】図１のスタンプボードを半開きにした状態を示す斜視図である。
【図３】図１のスタンプボードの使用方法を説明するための図である。
【図４】図１のスタンプボードの使用方法を説明するための図である。
【図５】図１のスタンプボードのパターンの形状を説明するための断面図である。
【図６】図１のスタンプボードに注水口を設けた場合を説明するための断面図である。
【図７】図１のパターン形成板を基板の内側に設けた場合を説明するための斜視図である。
【図８】図１のスタンプボードを３分割構成とした場合を説明するための斜視図である。
【図９】図１の開閉用丁番を、分離可能丁番とした場合を説明するための斜視図である。
【図１０】図１のスタンプボードの構成を変えた場合の他の実施の形態を示す斜視図である。
【図１１】図１のスタンプボードの構成を変えた場合の他の実施の形態を示す斜視図である。
【図１２】図１のスタンプボードの構成を変えた場合の他の実施の形態を示す斜視図である。
【図１３】従来のビーチサンダルを説明するための斜視図である。
【符号の説明】
１０  開閉用丁番
１０ａ  分離可能丁番
１１  基板
１２  基板
１２ａ  基板
１３  取手
１４  パターン形成板
１５  パターン形成板
１６ａ  ラッチ
１６ｂ  ラッチ
１７  注水口
１８  栓
１９  キャスター
２０  杭
２１  ロープ
２２  フック
２３  突起孔
２３ａ  連結棒
２４  ペグ孔
２５  ペグ
２６  ガイドレール
【図１】
2004322528.tif 000003
【図２】
2004322528.tif 000004
【図３】
2004322528.tif 000005
【図４】
2004322528.tif 000006
【図５】
2004322528.tif 000007
【図６】
2004322528.tif 000008
【図７】
2004322528.tif 000009
【図８】
2004322528.tif 000010
【図９】
2004322528.tif 000011
【図１０】
2004322528.tif 000012
【図１１】
2004322528.tif 000013
【図１２】
2004322528.tif 000014
【図１３】
2004322528.tif 000015